(57)【要約】【課題】本発明は、インターネット上のサーバにアップロードすることができる動画像ファイルを簡単に生成等することできる撮像装置を提供することを目的とする。【解決手段】被写体像を撮像することにより画像データを生成可能な撮像手段と、撮像手段により生成される画像データを順次記憶していくことにより生成される動画像ファイルを記憶可能な第1の記憶手段と、１つの動画像ファイルについての最長記録時間に関する時間情報を記憶する第2の記憶手段と、撮像手段による画像データの生成が開始されてからの経過時間を検出する第1の検出手段と、第2の記憶手段に記憶されている時間情報と、第１の検出手段による検出結果と、に基づいて、撮像手段により撮像可能な残り時間を算出する第1の算出手段と、第1の算出手段による算出結果を表示する表示手段と、を備える。【選択図】図１
2010028338.tif 000002
【特許請求の範囲】
【請求項１】
被写体像を撮像することにより画像データを生成可能な撮像手段と、
前記撮像手段により生成される画像データを順次記憶していくことにより生成される動画像ファイルを記憶可能な第1の記憶手段と、
１つの動画像ファイルについての最長記録時間に関する時間情報を記憶する第2の記憶手段と、
前記撮像手段による画像データの生成が開始されてからの経過時間を検出する第1の検出手段と、
前記第2の記憶手段に記憶されている時間情報と、前記第１の検出手段による検出結果と、に基づいて、前記撮像手段により撮像可能な残り時間を算出する第1の算出手段と、
前記第1の算出手段による算出結果を表示する表示手段と、
を備える撮像装置。
【請求項２】
１つの動画像ファイルについての最大記憶容量に関する容量情報を記憶する第3の記憶手段と、
前記第1の記憶手段に順次生成されている動画像ファイルの容量を検出する第2の検出手段と、
少なくとも、前記第3の記憶手段に記憶されている容量情報と、前記第2の検出手段による検出結果と、に基づいて、前記撮像手段により撮像可能な残り時間を算出する第2の算出手段と、
前記第1の算出手段による算出結果と前記第2の算出手段による算出結果とを比較する比較手段と、をさらに備え、
前記表示手段は、前記比較手段による比較結果に応じて、前記第1の算出手段による算出結果若しくは前記第2の算出手段による算出結果を表示する、
請求項１に記載の撮像装置。
【請求項３】
被写体像を撮像することにより画像データを生成可能な撮像手段と、
前記撮像手段により生成される画像データを順次記憶していくことにより生成される動画像ファイルを記憶可能な第1の記憶手段と、
１つの動画像ファイルについての最長記録時間に関する時間情報を記憶する第2の記憶手段と、
前記撮像手段による画像データの生成が開始されてからの経過時間を検出する検出手段と、
前記検出手段による検出結果が示す経過時間が前記第２の記憶手段に記憶されている時間情報が示す最長記録時間を越える前に、前記撮像手段による画像データの生成を停止させる停止手段と、
を備える撮像装置。
【請求項４】
被写体像を撮像することにより画像データを生成可能な撮像手段と、
前記撮像手段により生成される画像データを順次記憶していくことにより生成される動画像ファイルを記憶可能な第1の記憶手段と、
１つの動画像ファイルについての最長記録時間に関する時間情報を記憶する第2の記憶手段と、
前記撮像手段による画像データの生成が開始されてからの経過時間を検出する検出手段と、
前記検出手段による検出結果が示す経過時間が前記第２の記憶手段に記憶されている時間情報が示す最長記録時間を越える前に、前記撮像手段により生成される画像データに基づいて生成する動画像ファイルを現在生成している動画像ファイルから新たな動画像ファイルに切り替える切り替え手段と、
を備える撮像装置。
【請求項５】
前記第１の記憶手段は、
前記切り替え手段により、生成する動画像ファイルが切り替えられることにより生成される複数の動画像ファイルを関連付けて記憶する、
請求項４に記載の撮像装置。
【請求項６】
連続的に動画像を撮像することにより生成される複数の動画像ファイルをそれぞれ関連付けて記憶可能な記憶手段と、
前記記憶手段に記憶されている動画像ファイルを読み出し、再生する再生手段と、
前記記憶手段に記憶されているそれぞれ関連付けられている複数の動画像ファイルを連続的に再生するよう前記再生手段を制御する制御手段と、
を備える撮像装置。
【請求項７】
連続的に動画像を撮像することにより生成される複数の動画像ファイルをそれぞれ関連付けて記憶可能な記憶手段と、
前記記憶手段に記憶されている動画像ファイルをインターネット上のサーバにアップロード可能な通信手段と、
前記記憶手段に記憶されているそれぞれ関連付けられている複数の動画像ファイルを一括でアップロードするよう前記通信手段を制御する制御手段と、
を備える撮像装置。
【発明の詳細な説明】
【技術分野】
【０００１】
本発明は撮像装置に関し、特に、動画撮像が可能な撮像装置に関する。
【背景技術】
【０００２】
特許文献１は、インターネットなどのネットワークに接続可能なデジタルカメラを開示する。このデジタルカメラは、ネットワークに接続して撮影画像をネットワーク経由で転送する際に、その撮影画像データに付加されたExif（Exchange image file format）情報などの付加情報を削除する。これにより、このデジタルカメラは、ネットワーク経由で撮影画像を転送する際に、撮影画像以外の情報を防止することができる。
【特許文献１】特開２００４−３４３６２７号公報
【発明の開示】
【発明が解決しようとする課題】
【０００３】
しかしながら、特許文献１は、インターネット上のサーバにアップロードすることが出来る動画像ファイルを簡単に生成等することができる撮像装置については開示していない。
【０００４】
本発明は、インターネット上のサーバにアップロードすることができる動画像ファイルを簡単に生成等することできる撮像装置を提供することを目的とする。
【課題を解決するための手段】
【０００５】
上記課題を解決するために本発明にかかる撮像装置は、被写体像を撮像することにより画像データを生成可能な撮像手段と、撮像手段により生成される画像データを順次記憶していくことにより生成される動画像ファイルを記憶可能な第1の記憶手段と、１つの動画像ファイルについての最長記録時間に関する時間情報を記憶する第2の記憶手段と、撮像手段による画像データの生成が開始されてからの経過時間を検出する第1の検出手段と、第2の記憶手段に記憶されている時間情報と、第１の検出手段による検出結果と、に基づいて、撮像手段により撮像可能な残り時間を算出する第1の算出手段と、第1の算出手段による算出結果を表示する表示手段と、を備える。
【０００６】
また、本発明にかかる撮像装置は、１つの動画像ファイルについての最大記憶容量に関する容量情報を記憶する第3の記憶手段と、第1の記憶手段に順次生成されている動画像ファイルの容量を検出する第2の検出手段と、少なくとも、前記第3の記憶手段に記憶されている容量情報と、第2の検出手段による検出結果と、に基づいて、前記撮像手段により撮像可能な残り時間を算出する第2の算出手段と、第1の算出手段による算出結果と第2の算出手段による算出結果とを比較する比較手段と、をさらに備え、表示手段は、比較手段による比較結果に応じて、第1の算出手段による算出結果若しくは第2の算出手段による算出結果を表示するようにしてもよい。
【０００７】
また、本発明にかかる撮像装置は、被写体像を撮像することにより画像データを生成可能な撮像手段と、撮像手段により生成される画像データを順次記憶していくことにより生成される動画像ファイルを記憶可能な第1の記憶手段と、１つの動画像ファイルについての最長記録時間に関する時間情報を記憶する第2の記憶手段と、撮像手段による画像データの生成が開始されてからの経過時間を検出する検出手段と、検出手段による検出結果が示す経過時間が第２の記憶手段に記憶されている時間情報が示す最長記録時間を越える前に、撮像手段による画像データの生成を停止させる停止手段と、を備える。
【０００８】
また、本発明にかかる撮像装置は、被写体像を撮像することにより画像データを生成可能な撮像手段と、撮像手段により生成される画像データを順次記憶していくことにより生成される動画像ファイルを記憶可能な第1の記憶手段と、１つの動画像ファイルについての最長記録時間に関する時間情報を記憶する第2の記憶手段と、撮像手段による画像データの生成が開始されてからの経過時間を検出する検出手段と、検出手段による検出結果が示す経過時間が第２の記憶手段に記憶されている時間情報が示す最長記録時間を越える前に、撮像手段により生成される画像データに基づいて生成する動画像ファイルを現在生成している動画像ファイルから新たな動画像ファイルに切り替える切り替え手段と、を備える。
【０００９】
また、本発明にかかる撮像装置は、第１の記憶手段は、切り替え手段により、生成する動画像ファイルが切り替えられることにより生成される複数の動画像ファイルを関連付けて記憶するようにしてもよい。
【００１０】
また、本発明にかかる撮像装置は、連続的に動画像を撮像することにより生成される複数の動画像ファイルをそれぞれ関連付けて記憶可能な記憶手段と、記憶手段に記憶されている動画像ファイルを読み出し、再生する再生手段と、記憶手段に記憶されているそれぞれ関連付けられている複数の動画像ファイルを連続的に再生するよう再生手段を制御する制御手段と、を備える。
【００１１】
また、本発明にかかる撮像装置は、連続的に動画像を撮像することにより生成される複数の動画像ファイルをそれぞれ関連付けて記憶可能な記憶手段と、記憶手段に記憶されている動画像ファイルをインターネット上のサーバにアップロード可能な通信手段と、記憶手段に記憶されているそれぞれ関連付けられている複数の動画像ファイルを一括でアップロードするよう通信手段を制御する制御手段と、を備える。
【発明の効果】
【００１２】
本発明によれば、インターネット上のサーバにアップロードすることができる動画像ファイルを簡単に生成等することできる撮像装置を提供することができる。
【発明を実施するための最良の形態】
【００１３】
〔１．実施の形態１〕
〔１−１．概要〕
本実施の形態にかかるデジタルカメラ１００は、動画を撮像することができる。使用者は、デジタルカメラ１００により撮像した動画像ファイルをインターネット上のサーバにアップロードすることができる。本発明は、デジタルカメラ１００のような撮像装置において、インターネット上のサーバにアップロードすることができる動画像ファイルを簡単に生成等できるようにするためになされた発明である。
【００１４】
〔１−２．構成〕
以下、本実施の形態にかかるデジタルカメラ１００の構成について図面を用いて説明する。
【００１５】
〔１−２−１．電気的構成〕
本実施の形態にかかるデジタルカメラ１００の電気的構成について、図１を用いて説明する。図１は、デジタルカメラ１００の構成を示すブロック図である。デジタルカメラ１００は、ズームレンズ１１０等からなる光学系により形成された被写体像をＣＣＤイメージセンサー１８０で撮像する。ＣＣＤイメージセンサー１８０で生成された画像データは、画像処理部１９０で各種処理が施され、メモリカード２４０に格納される。また、メモリカード２４０に格納された画像データは、液晶モニタ２６０で表示可能である。以下、デジタルカメラ１００の構成を詳細に説明する。
【００１６】
デジタルカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。ＯＩＳ１４０は、内部に光軸に垂直な面内で移動可能な補正レンズを有する。ＯＩＳ１４０は、デジタルカメラ１００の振れを相殺する方向に補正レンズを駆動することにより、被写体像の振れを低減する。フォーカスレンズ１７０は、光学系の光軸に沿って移動することにより、被写体像のピントを調整する。
【００１７】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１８】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。
【００１９】
ＣＣＤイメージセンサー１８０は、ズームレンズ１１０等からなる光学系で形成された被写体像を撮像して、画像データを生成する。ＣＣＤイメージセンサー１８０は、露光、転送、電子シャッタなどの各種動作を行う。
【００２０】
画像処理部１９０は、ＣＣＤイメージセンサー１８０で生成された画像データに対して各種の処理を施す。画像処理部１９０は、ＣＣＤイメージセンサー１８０で生成された画像データに対して処理を施し、液晶モニタ２６０に表示するための画像データを生成したり、メモリカード２４０に再格納するための画像データを生成したりする。例えば、検出器１６０は、ＣＣＤイメージセンサー１８０で生成された画像データに対してガンマ補正やホワイトバランス補正、傷補正などの各種処理を行う。また、画像処理部１９０は、ＣＣＤイメージセンサー１８０で生成された画像データに対して、ＪＰＥＧ規格に準拠した圧縮形式等により画像データを圧縮する。画像処理部１９０は、ＤＳＰやマイコンなどで実現可能である。
【００２１】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００２２】
メモリ２００は、画像処理部１９０及びコントローラー２１０のワークメモリとして機能する。メモリ２００は、例えば、ＤＲＡＭ、強誘電体メモリなどで実現できる。
【００２３】
液晶モニタ２６０は、ＣＣＤイメージセンサー１８０で生成した画像データが示す画像や、メモリカード２４０から読み出した画像データが示す画像を表示可能である。また、液晶モニタ２６０は、デジタルカメラ１００を操作するための操作メニューや、表示している画像に関する情報等を表示可能である。
【００２４】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、使用者によりデジタルカメラ１００に与えられる手振れは補正される。
【００２５】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２６】
内部メモリ２８０は、様々な情報を記憶可能である。例えば、デジタルカメラ１００は、動画像を撮像することができる。デジタルカメラ１００は、１つの動画像ファイルの最長撮像時間及び、最大記憶容量を制限する制限撮影モードで動画像を撮像することができる。この場合、例えば、内部メモリ２８０は、１つの動画像ファイルの最長撮像時間及び、最大記憶容量に関する情報を格納する。また、内部メモリ２８０は、撮像した画像データを格納することもできる。
【００２７】
操作部材２５０は、使用者から操作指示を受け付ける部材の総称である。例えば、使用者は、操作部材２５０を操作することにより、デジタルカメラ１００のモードの切り替え（例えば撮影モードと再生モードとの切り替え）や、撮像画像の記録等をすることができる。
【００２８】
通信部２７０は、デジタルカメラ１００を、外部機器を介して、あるいは直接インターネットに接続するための部材である。例えば無線ＬＡＮやＵＳＢやＩＥＥＥ１３９４などで実現可能である。
【００２９】
〔１−２−１．本発明との対応〕
ＣＣＤイメージセンサー１８０は、本発明の撮像手段の一例である。メモリカード２４０は、本発明の第１の記憶手段の一例である。内部メモリ２８０は、本発明の第２の記憶手段の一例である。コントローラー２１０は、本発明の第１の検出手段の一例である。コントローラー２１０は、本発明の第１の算出手段の一例である。液晶モニタ２６０は、本発明の表示手段の一例である。内部メモリ２８０は、本発明の第３の記憶手段の一例である。コントローラー２１０は、本発明の第２の検出手段の一例である。コントローラー２１０は、本発明の第２の算出手段の一例である。コントローラー２１０は、本発明の比較手段の一例である。コントローラー２１０は、本名発明の停止手段の一例である。コントローラー２１０は、本発明の切り替え手段の一例である。
【００３０】
メモリカード２４０は、本発明の記憶手段の一例である。コントローラー２１０は、本発明の再生手段の一例である。コントローラー２１０は、本発明の制御手段の一例である。通信部２７０は、本発明の通信手段の一例である。
【００３１】
〔１−３．動作〕
以下、本実施の形態にかかるデジタルカメラ１００の動作について図面を用いて説明する。
【００３２】
〔１−３−１．記録〕
〔１−３−１−１．記録動作〕
本実施の形態にかかるデジタルカメラ１００の記録動作について図２を用いて説明する。図２は、デジタルカメラ１００の記録動作を説明するためのフローチャートである。使用者は、操作部材２５０を操作することにより、デジタルカメラ１００を制限撮影モードに設定することができる（Ｓ１０１）。ここで、制限撮影モードとは、生成する動画像ファイル１つあたりの最長記録時間及び最大記憶容量が制限されているモードである。ここで、最長記録時間及び最大記憶容量については、インターネット上の所定の動画アップロードサイトにおいて規定されている最長記録時間及び最大記憶容量を用いる。本実施の形態においては、最長記録時間を１０分とし、最大記憶容量を１００ＭＢとする。
【００３３】
制限撮影モードに設定されると、コントローラー２１０は操作部材２５０のうちの録画開始釦が押下されるまで待機する（Ｓ１０２）。録画開始釦が押下されると、コントローラー２１０は、ＣＣＤイメージセンサー１８０で生成された画像データの動画像ファイルとしてのメモリカード２４０への記録を開始する（Ｓ１０３）。
【００３４】
メモリカード２４０への画像データの記録が開始されると、コントローラー２１０は、記録中の画像データに関する情報と、制限撮影モードに関する情報とを取得する（Ｓ１０４）。つまり、コントローラー２１０は、記録中の画像データのビットレート情報（Ｂ）と、記録中の画像データの現時点の撮影時間情報（Ｔ）と、制限撮影モードにおける動画像ファイル１つあたりの最長撮影時間情報（Ｔrec）と、制限撮影モードにおける動画像ファイル１つあたりの最大記憶容量情報（Ｂrec）とを取得する。
【００３５】
これらの情報を取得すると、コントローラー２１０は、取得した記録中の画像データのビットレート情報と、現時点の撮影時間情報と、動画像ファイル１つあたりの最大記憶容量情報とから残りの撮影可能時間を算出する（Ｓ１０５）。具体的には、コントローラー２１０は、（ＢrecーＢ×Ｔ）／Ｂを計算することにより、残りの撮影可能時間（Ｔsize）を算出する。
【００３６】
また、最大記憶容量情報から残りの撮影可能時間を算出すると、コントローラー２１０は、現時点の撮影時間情報と、動画像ファイル１つあたりの最長撮影時間情報とから残りの撮影可能時間を算出する（Ｓ１０６）。具体的には、コントローラー２１０は、ＴrecーＴを計算することにより、残りの撮影可能時間（Ｔtime）を算出する。
【００３７】
最長記録時間情報から残りの撮影可能時間を算出すると、コントローラー２１０は、最大記憶容量情報から算出した残りの撮影可能時間（Ｔsize）と、最長撮影時間情報から算出した残りの撮影可能時間（Ｔtime）とを比較する（Ｓ１０７）。
【００３８】
ＴsizeがＴtimeより短い場合には、液晶モニタ２６０は、残りの撮影可能時間としてＴsizeを表示する（Ｓ１０８）。具体的な表示内容の例については後述する。
【００３９】
一方、ＴtimeがＴsizeより短い場合には、液晶モニタ２６０は、残りの撮影可能時間としてＴtimeを表示する（Ｓ１０９）。具体的な表示内容の例については後述する。
【００４０】
Ｔtime若しくはＴsizeの何れかを液晶モニタ２６０に表示すると、コントローラー２１０は、現時点の撮影時間が最長撮影時間を超えていないかを判断する（Ｓ１１０）。また、コントローラー２１０は、同時に、現時点の撮影容量が最大記憶容量を超えていないかを判断する（Ｓ１１０）。
【００４１】
最長撮影時間及び最大記憶容量の何れも超えていないと判断すると、コントローラー２１０は、使用者により撮影の終了が選択されているかを判断する（Ｓ１１１）。撮影の終了が選択されていると判断すると、コントローラー２１０は、撮影を終了する。一方、撮影の終了が選択されていないと判断すると、コントローラー２１０は、動画撮像を継続する（Ｓ１０３）。
【００４２】
一方、最長撮影時間若しくは最大記憶容量の何れかを超えていると判断すると、コントローラー２１０は、ＣＣＤイメージセンサー１８０で撮像された画像データに基づいて生成する動画像ファイルを、現在生成中の動画像ファイルから新たな動画像ファイルに切り替える（Ｓ１１２）。
【００４３】
ＣＣＤイメージセンサー１８０で撮像された画像データに基づいて新たな動画像ファイルの生成を開始すると、コントローラー２１０は、現在生成している動画像ファイルの前に生成していた動画像ファイルのファイル名を変更する（Ｓ１１３）。例えば、現在生成している動画像ファイルの前に生成していた動画像ファイルのファイル名をMovie.mpgとしたとする。この場合において、連続的に動画像を撮像することにより、ＣＣＤイメージセンサー１８０で撮像した画像データに基づいて新たな動画像ファイルの生成を開始したとする。この場合には、コントローラー２１０は、現在生成している動画像ファイルの前に生成していた動画像ファイル（Movie.mpg）のファイル名をMovie1/2.mpgへと変更し、現在生成している動画像ファイルのファイル名をMovie2/2.mpgとする。要するに、コントローラー２１０は、連続的に動画像を撮像することにより生成した複数の動画像ファイルのファイル名をそれぞれの動画像ファイルの生成順序がわかるファイル名とする。
【００４４】
現在生成している動画像ファイルの前に生成していた動画像ファイルのファイル名が変更されると、液晶モニタ２６０は、現在再生している動画像ファイルが連続的に撮像した動画像ファイルのうち何番目に生成された動画像ファイルであるかを示す情報を表示する（Ｓ１１４）。具体的な表示内容の例については後述する。
【００４５】
このように本実施の形態にかかるデジタルカメラ１００は、動画像の記録時に、予め定められた最長記録時間若しくは最大記憶容量から算出された残り記録可能な記録時間を液晶モニタ２６０に表示する。また、本実施の形態にかかるデジタルカメラ１００は、最長記録時間及び最大記憶容量として、インターネット上の所定の動画アップロードサイトにおいて規定されている最長記録時間及び最大記憶容量を用いる。これにより、デジタルカメラ１００は、現在生成中の動画像ファイルをインターネット上の所定の動画アップロードサイトにアップロード可能な動画像ファイルとするために残り撮影可能な時間を撮影中の使用者に通知することができる。
【００４６】
また、本実施の形態にかかるデジタルカメラ１００は、生成している動画像ファイルの撮影時間若しくは容量が最長記録時間若しくは最大記憶容量を越える場合には、続けて撮像することにより生成される画像データに基づいて、新たな動画像ファイルの生成を開始する。これにより、生成している動画像ファイルが最長記録時間若しくは最大記憶容量を越えるような場合であっても、継続的に撮影を続けつつ、さらに所定の動画アップロードサイトにアップロード可能な動画像ファイルを生成することができる。
【００４７】
また、本実施の形態にかかるデジタルカメラ１００は、継続的に動画像の撮像を続け、新たな動画像ファイルの生成を開始する際に、前に生成していた動画像ファイルのファイル名を変更する。これにより、デジタルカメラ１００は、継続的に動画像の撮像を行うことにより生成された複数の動画像ファイルそれぞれの関係をファイル名により使用者に通知することができる。
【００４８】
また、本実施の形態にかかるデジタルカメラ１００は、継続的に動画像の撮像を行うことにより複数の動画像ファイルを生成する場合に、現在生成している動画像ファイルが一連の撮像動作を通して何番目に生成している動画像ファイルであるかに関する情報を液晶モニタ２６０に表示する。これにより、デジタルカメラ１００は、現在生成している動画像ファイルが一連の撮像動作を通して何番目に生成されている動画像ファイルであるかを使用者に通知することができる。
【００４９】
〔１−３−１−２．記録時の液晶モニタの表示の一例〕
デジタルカメラ１００による記録動作時における液晶モニタ２６０の表示の一例について図３を用いて説明する。動画像を撮像し、１つ目の動画像ファイルを生成している際に、液晶モニタ２６０は、表示画面３００のような画面を表示する。つまり、図２におけるステップＳ１０８若しくはステップＳ１０９において、液晶モニタ２６０は、表示画面３００のような画面を表示する。この場合、液晶モニタ２６０は、撮像している被写体像の他、現在設定されているモードが制限モードである旨の表示と、最長記録時間及び最大記憶容量から算出した残り撮影可能時間に関する表示とを表示する。
【００５０】
このように、液晶モニタ２６０に、現在設定されているモードが制限モードである旨の表示と、最長記録時間及び最大記憶容量から算出した残り撮影可能時間に関する表示とを併せて表示させることにより、デジタルカメラ１００本来の残り撮影時間が短いと使用者に誤解させることを防止することができる。
【００５１】
また、連続的に動画像の撮像を行うことにより複数の動画像ファイルを生成している場合には、液晶モニタ２６０は、表示画面３１０のような画面を表示する。つまり、図２におけるステップＳ１１４において、液晶モニタ２６０は、表示画面３１０のような画面を表示する。この場合、液晶モニタ２６０は、表示画面３００に表示している項目に加えて、現在生成している動画像ファイルが一連の撮像動作を通じて何番目に生成している動画像ファイルであるかを示す表示と、一連の撮像動作を通じてどれだけの時間動画像を撮像しているかを示す表示とを表示する。
【００５２】
なお、以後、このように連続的な一連の撮像動作を通じて生成された複数の動画像ファイルを分割動画群と称する。
【００５３】
〔１−３−２．再生動作〕
本実施の形態にかかるデジタルカメラ１００の再生動作について図４を用いて説明する。図４はデジタルカメラ１００の再生動作を説明するためのフローチャートである。使用者は、操作部材２５０を操作することにより、デジタルカメラ１００を再生モードに設定することができる（Ｓ２０１）。再生モードに設定されると、液晶モニタ２６０は、メモリカード２４０に格納されている動画像ファイルに対応付けられているサムネイル画像の一覧を表示する（Ｓ２０２）。例えば、図５に示す表示画面３２０のような画面を表示する。ここで、動画像ファイル３２１、動画像ファイル３２２、動画像ファイル３２３は分割動画群であり、動画像ファイル３２４、動画像ファイル３２５、動画像ファイル３２６は、それぞれ独立した動画像ファイルである。サムネイル画像の一覧が表示されると、コントローラー２１０は、使用者により再生する動画像ファイルが選択されるまで待機する（Ｓ２０３）。再生する動画像ファイルが選択されると、検出器１６０は、選択された動画像ファイルが分割動画群のうちの一部の動画像ファイルであるか否かを判断する（Ｓ２０４）。
【００５４】
分割動画群のうちの一部の動画像ファイルではないと判断すると、検出器１６０は、選択された動画像ファイルの再生を行い、液晶モニタ２６０に動画像を表示させる（Ｓ２０５）。動画像ファイルの再生を行うと、検出器１６０は、動画像ファイルの再生が終了したか否かを判断する（Ｓ２０６）。動画像ファイルの再生が終了したと判断すると、再び液晶モニタ２６０は、メモリカード２４０に格納されている動画像ファイルに対応付けられているサムネイル画像の一覧を表示する（Ｓ２０２）。
【００５５】
一方、分割動画群のうちの一部の動画像ファイルであると判断すると、液晶モニタ２６０は、動画像ファイルの再生方法の選択を使用者に促す画面を表示する（Ｓ２０７）。本実施の形態においては、図５に示す表示画面３３０のような画面を表示する。例えば、この画面において使用者は、「先頭から連続再生」と、「この動画から連続再生」との二つの項目から何れかの項目を選択することができる。
【００５６】
液晶モニタ２６０に再生方法の選択画面が表示されると、検出器１６０は、使用者により再生方法が選択されるまで待機する（Ｓ２０８）。再生方法が選択されると、検出器１６０は、「先頭から連続再生」が選択されたか否かを判断する（Ｓ２０９）。
【００５７】
「先頭から連続再生」が選択されたと判断すると、検出器１６０は、選択された動画像ファイルがその一部を構成する分割動画郡のうちの先頭の動画像ファイルを再生する（Ｓ２１０）。
【００５８】
一方、「先頭から連続再生」が選択されなかったと判断すると、検出器１６０は、選択された動画像ファイルを再生する（Ｓ２１１）。
【００５９】
これら動画像ファイルの再生が行われると、検出器１６０は、動画像ファイルの再生が終了したか否かを判断する（Ｓ２１２）。動画像ファイルの再生が終了したと判断すると、検出器１６０は、再生した動画像ファイルが分割動画群を構成する動画像ファイルのうちの最後の動画像ファイルであるか否かを判断する（Ｓ２１４）。最後の動画像ファイルであると判断すると、検出器１６０は、動画像ファイルの再生を終了し、液晶モニタ２６０にサムネイル画像の一覧を表示させる（Ｓ２０２）。一方、最後の動画像ファイルではないと判断すると、検出器１６０は、続きの動画像ファイルを再生する（Ｓ２１５）。
【００６０】
このように、本実施の形態にかかるデジタルカメラ１００は、分割動画群を構成する複数の動画像ファイルの一部を再生する場合には、続けて同一の分割動画群を構成する他の動画像ファイルを再生する。これにより、使用者は、連続的に撮像することにより生成された複数の動画像ファイルを自動的に連続的に再生することができる。その結果、デジタルカメラ１００は、連続的に撮像することにより生成された複数の動画像ファイルが複数に分割されている点について使用者にあまり意識させないことができる。
【００６１】
〔１−３−３．動画像ファイルのアップロード動作〕
本実施の形態にかかるデジタルカメラ１００による動画像ファイルのアップロード動作について図６を用いて説明する。図６は、デジタルカメラ１００による動画像ファイルのアップロード動作を説明するためのフローチャートである。使用者は、操作部材２５０を操作することにより、デジタルカメラ１００をアップロードモードに設定することができる（Ｓ３０１）。ここで、アップロードモードとは、動画像ファイルをインターネット上のアップロードサイトにアップロードするためのモードである。アップロードモードに設定されると、通信部２７０は、デジタルカメラ１００を直接又は間接的にインターネットへ接続する（Ｓ３０２）。インターネットのへの接続がなされると、コントローラー２１０は、動画像ファイルをアップロードサイトが選択されるまで待機する（Ｓ３０３）。アップロードサイトが選択されると、液晶モニタ２６０は、アップロードすることが可能な動画像ファイルに関するサムネイル画像の一覧を表示する（Ｓ３０４）。具体的には液晶モニタ２６０は、図７に示す表示画面３４０のような画面を表示する。動画像ファイルに関するサムネイル画像の一覧が表示されると、コントローラー２１０は、アップロードする動画像ファイルが選択されるまで待機する（Ｓ３０５）。アップロードする動画像ファイルが選択されると、コントローラー２１０は、選択された動画像ファイルが分割動画群を構成する動画像ファイルのうちの一部の動画像ファイルであるか否かを判断する（Ｓ３０６）。
【００６２】
分割動画群を構成する動画像ファイルのうちの一部の動画像ファイルでないと判断すると、コントローラー２１０は、選択された動画像ファイルをインターネット上のアップロードサイトにアップロードするよう通信部２７０を制御する（Ｓ３０７）。
【００６３】
一方、分割動画群を構成する動画像ファイルのうちの一部の動画像ファイルであると判断すると、液晶モニタ２６０は分割動画群を構成する全ての動画像ファイルをアップロードするか、選択された動画像ファイルのみをアップロードするかについての選択肢を表示する（Ｓ３０８）。具体的には液晶モニタ２６０は、図７に示す表示画面３５０のような画面を表示する。液晶モニタ２６０に選択肢を表示させると、コントローラー２１０は、使用者により選択がされるまで待機する（Ｓ３０９）。使用者により選択がされると、コントローラー２１０は、使用者が何れを選択したかを判断する（Ｓ３１０）。
【００６４】
分割動画群を構成する全ての動画像ファイルをアップロードする選択肢が選択された場合には、コントローラー２１０は、分割動画群を構成する全ての動画像ファイルをアップロードさせるよう通信部２７０を制御する（Ｓ３１１）。
【００６５】
一方、選択した動画像ファイルのみをアップロードする選択肢が選択された場合には、コントローラー２１０は、選択された動画像ファイルのみをアップロードさせるよう通信部２７０を制御する（Ｓ３１２）。
【００６６】
このように、本実施の形態にかかるデジタルカメラ１００は、アップロード対象として分割動画群を構成する一部の動画像ファイルが選択された場合において、分割動画群を構成する選択された動画像ファイル以外の動画像ファイルについても同時にアップロードサイトにアップロードすることが可能な構成とした。以下、この理由について述べる。
【００６７】
分割動画群は、ユーザが制限撮影モードにおいて制限時間を超えてでも撮影したかった動画である。このような分割動画群を構成する複数の動画像ファイルは、基本的には動画ファイルとしては分割されているものの、使用者の観点から見ると１つの動画として扱えると便利である。よって、使用者が分割動画群を構成する複数の動画像ファイルのうちの１つの動画像ファイルを選択する場合において、分割動画郡を構成する他の動画像ファイルを選択する可能性は高いと考えられる。従って、分割動画郡を構成する複数の動画像ファイルの一括アップロードを可能とすることで、アップロードする動画を選択する時間を短縮することができる。また、分割動画群を構成する複数の動画像ファイルの一括アップロードを可能とすることで、分割動画群を構成する動画像ファイルのうちの他の動画像ファイルの一部をアップロード忘れを防止することができる。また、動画のアップロード順序を撮影時の古いものから自動で選択してアップロードする等の効果を持たせることができる。
【００６８】
〔１−３−３−２．アップロードされた動画像ファイルの内容確認〕
次に、アップロードされた動画像ファイルの内容確認について図８、図９を用いて説明する。使用者は、操作部材２５０を操作することにより、デジタルカメラ１００をアップロードした動画像ファイルの内容確認するモードに設定することができる（Ｓ３０１）。アップロードした動画像ファイルの内容を確認するモードに設定されると、コントローラー２１０は、通信部２７０を介して、デジタルカメラ１００をインターネットに接続する（Ｓ３０２）。インターネットに接続されると、コントローラー２１０は、使用者からアップロードサイトの選択を受け付けるまで待機する（Ｓ３０２）。
【００６９】
アップロードサイトが選択されると、コントローラー２１０は、インターネットを介して取得したアップロード済みの動画像ファイル情報を取得し、アップロード済みの動画像ファイルのサムネイル画像を液晶モニタ２６０に表示する（Ｓ３０４）。例えば、液晶モニタ２６０は、図９に示すような画面を表示する。液晶モニタ２６０は、アップロード済みの動画像ファイル（Ａ１）の先頭フレームのサムネイル画像と、中間付近のサムネイル画像と、終了付近のサムネイル画像とを表示する。このような構成とする理由を以下に述べる。
【００７０】
動画像ファイルをインターネットを介して再生するためには高い通信レートが必要である。しかし、デジタルカメラ１００のようなデジタルカメラにおいてはそのような高い通信能力を有さない機器も多い。このような場合に、動画像ファイルを構成するフレームのうち一枚のフレームのサムネイルのみを表示するような構成も考えられる。しかし、このような構成によれば、使用者は一枚のサムネイル画像しか閲覧できないため、動画像ファイルが全体としてどのような内容であったかを想起できない場合もある。そこで、本実施の形態にかかるデジタルカメラ１００においては、動画像ファイルを構成する複数のフレームのサムネイル画像を液晶モニタ２６０に表示することとした。これにより、動画再生の通信レートが確保されていないデジタルカメラにおいても、使用者は、アップロードした動画像ファイルがアップロードすべき動画像ファイルであるか否かの確認を容易に行うことができる。なお、この画面において「次へ」というアイコンが選択されると、液晶モニタ２６０は、Ａ１の次にアップロードされた動画像ファイルに関する複数のサムネイル画像を表示する。また、「戻る」というアイコンが選択されると、液晶モニタ２６０は、Ａ１の前にアップロードされた動画像ファイルに関する複数のサムネイル画像を表示する。
【００７１】
アップロード済みの動画像ファイルに関するサムネイル画像が表示されると、コントローラー２１０は、使用者により削除する動画像ファイルが選択されるまで待機する（Ｓ３０５）。使用者により削除する動画像ファイルが選択されると、コントローラー２１０は、通信部２７０を介して、インターネット上のサーバに対して、選択された動画像ファイルを削除するように通知する（Ｓ３０６）。コントローラー２１０からの動画像ファイルの削除通知を受けると、インターネット上のサーバは、選択された動画像ファイルを削除する（Ｓ３０６）。
〔２．その他の実施の形態〕
以上により、本発明の実施の形態として、実施の形態１を説明した。しかし、本発明は、これらには限定されない。そこで、本発明の他の実施の形態を本欄にまとめて説明する。
【００７２】
本発明の実施の形態１においては、アップロードサイトにアップロード可能な動画像ファイルの容量及び時間の制限のもと、現在生成している動画像ファイルを後どれだけの時間生成し続けることができるかを液晶モニタ２６０に表示する構成とした。しかし、必ずしもこのような構成には限定されない。例えば、既に生成済みの動画像ファイルに追加撮影をする場合において、既に生成済みの動画像ファイルの容量及び再生時間と、アップロードサイトにアップロード可能な動画像ファイルの容量及び時間の制限とから追加撮影を後どれだけの時間可能であるかを液晶モニタ２６０に表示するような構成としてもよい。これにより、既に生成済みの動画像ファイルに追加撮影を行うような場合においても、アップロードサイトにアップロード可能な動画像ファイルを生成するために残り撮影可能な時間を使用者に知らせることができる。
【００７３】
また、本発明の実施の形態１においては、動画像ファイルをＭＰＥＧファイルであることとした。しかし、必ずしもこのような構成である必要はない。例えば、ＡＶＩファイルなどであってもよいし、ＭＰＥＧファイルの中でもＭＰＥＧ−２、ＭＰＥＧー４、ＭＰＥＧ−４／ＡＶＣ等のいずれであってもよい。ようするに動画像ファイルであれば何であってもよい。
【００７４】
また、本発明の実施の形態１においては、動画像ファイルが自動分割された際に「何番目／関連ファイル数」といったファイル名を使う。しかし、必ずしもこのようなファイル名とする必要はない。１つ目のファイルのファイル名は特に変更せずに、２つ目のファイルのファイル名を「１つ目のファイル名２」といったファイル名とする構成としてもよい。要するに関連のあるファイルのうち何番目のファイルであるかがわかる構成であればよい。
【００７５】
また、本発明を適用した撮像装置の光学系及び駆動系は、図１に示すものに限定されない。例えば、図１では３群構成の光学系を例示しているが、他の群構成のレンズ構成としてもよい。また、ＯＩＳ１４０とＯＩＳアクチュエータ１５０とも必須の構成要素ではない。また、それぞれのレンズは、１つのレンズで構成してもよく、複数のレンズから構成されるレンズ群として構成してもよい。
【００７６】
実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００７７】
画像処理部１９０とコントローラー２１０とは、１つの半導体チップで構成してもよく、別々の半導体チップで構成してもよい。
【産業上の利用可能性】
【００７８】
本発明は、デジタルスチルカメラやムービーなどに適用可能である。
【図面の簡単な説明】
【００７９】
【図１】デジタルカメラ１００のブロック図
【図２】デジタルカメラ１００における記録動作を説明するためのフローチャート
【図３】液晶モニタ２６０の記録時の表示を説明するための模式図
【図４】デジタルカメラ１００における再生動作を説明するためのフローチャート
【図５】液晶モニタ２６０の再生時の表示を説明するための模式図
【図６】デジタルカメラ１００におけるアップロード動作を説明するためのフローチャート
【図７】液晶モニタ２６０のアップロード時の表示を説明するための模式図
【図８】デジタルカメラ１００におけるアップロード済み動画像ファイルの確認時のフローチャート
【図９】液晶モニタ２６０のアップロード済み動画像ファイル確認時の表示を説明するための模式図
【符号の説明】
【００８０】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    バッファ
２１０    コントローラー
２２０    ジャイロセンサー
２３０    カードスロット
２４０    メモリカード
２５０    操作部材
２６０    液晶モニタ
２７０    通信部
２８０    内部メモリ
【図１】
2010028338.tif 000003
【図２】
2010028338.tif 000004
【図３】
2010028338.tif 000005
【図４】
2010028338.tif 000006
【図５】
2010028338.tif 000007
【図６】
2010028338.tif 000008
【図７】
2010028338.tif 000009
【図８】
2010028338.tif 000010
【図９】
2010028338.tif 000011